(57)【特許請求の範囲】
【請求項１】
ハウジングと、
前記ハウジングに設けられたマグネットと、
レンズを支持し、前記ハウジングに対して昇降可能に設けられたレンズホルダと、
前記レンズホルダに結合され、前記ハウジングに支持されて前記レンズホルダを弾性的に支持するスプリングと、
前記マグネットに対向するように前記レンズホルダに結合され、リード線が前記レンズホルダと前記スプリングとの間に介在されたコイルと、を含み、
前記スプリングは、前記コイルのリード線を加圧する弾性変形状態で前記レンズホルダに結合されたことを特徴とするレンズアクチュエータ。
【請求項２】
前記スプリングには貫通する組立孔が形成され、
前記レンズホルダには前記組立孔に挿入されて結合される組立突起が形成されたことを特徴とする請求項１に記載のレンズアクチュエータ。
【請求項３】
前記組立突起は、
前記スプリングの組立孔に挿入される胴部と、
前記スプリングの離脱を防止するように組立孔よりも大きい長半径を有するヘッド部とを含むことを特徴とする請求項２に記載のレンズアクチュエータ。
【請求項４】
前記組立孔及び組立突起は複数であり、
前記コイルのリード線は複数の組立突起間に配置されることを特徴とする請求項２または請求項３に記載のレンズアクチュエータ。
【請求項５】
前記スプリングに結合され、前記コイルを駆動する電気を供給するコネクタをさらに含む請求項１から請求項４までのいずれか１項に記載のレンズアクチュエータ。
【請求項６】
ハウジングと
前記ハウジングの内側に配置されたイメージセンサと、
前記イメージセンサへ光を集めるレンズと
レンズを支持し、前記ハウジングに対して昇降可能に設けられたレンズホルダと、
前記レンズホルダに結合され、前記ハウジングに支持されて前記レンズホルダを弾性的に支持するスプリングと、
前記ハウジングに設けられたマグネットと、
前記マグネットに対向するように前記レンズホルダに結合され、リード線が前記レンズホルダと前記スプリングとの間に介在されたコイルと、を含み、
前記スプリングは、前記コイルのリード線を加圧する弾性変形状態で前記レンズホルダに結合されたことを特徴とするカメラモジュール。
【請求項７】
前記スプリングには貫通する組立孔が形成され、
前記レンズホルダには前記組立孔に挿入されて結合される組立突起が形成されたことを特徴とする請求項６に記載のカメラモジュール。
【請求項８】
前記組立突起は、
前記スプリングの前記組立孔に挿入される胴部と、
前記スプリングの離脱を防止するように前記組立孔よりも大きい長半径を有するヘッド部と、を含むことを特徴とする請求項７に記載のカメラモジュール。
【請求項９】
前記組立孔及び組立突起は複数であり、
前記コイルのリード線は複数の組立突起間に配置されることを特徴とする請求項７または請求項８に記載のカメラモジュール。
【請求項１０】
前記スプリングに結合され、前記コイルを駆動する電気を供給するコネクタをさらに含む請求項６から請求項９までのいずれか１項に記載のカメラモジュール。
【発明の詳細な説明】
【技術分野】
【０００１】
本発明はレンズアクチュエータ及びこれを備えたカメラモジュールに関する。
【背景技術】
【０００２】
一般的にカメラモジュールにはオートフォーカス機能などのために、レンズを移動可能にするレンズアクチュエータが使用される。
【０００３】
レンズアクチュエータのタイプの中には磁気力を用いてレンズを駆動する方式があるが、このようなレンズアクチュエータは磁気力を発生するコイルに電流を供給するために、レンズホルダを支持するスプリングを電気接続の媒介体として用いることがある。
【０００４】
このとき、コイルとスプリングとが半田付けまたは導電性接着剤により結合されるが、接合の信頼性が低下したり、劣化が生じたりする問題があった。また、電気接続の構造が複雑であるので、製造し難いという問題点があった。
【発明の概要】
【発明が解決しようとする課題】
【０００５】
こうした従来技術の問題点に鑑み、本発明は、スプリングとコイルとの電気接続の信頼性を保障できるレンズアクチュエータ及びこれを備えたカメラモジュールを提供することを目的とする。
【０００６】
本発明の他の目的は、スプリングとコイルとの接続構造を簡単にするレンズアクチュエータ及びこれを備えたカメラモジュールを提供することにある。
【課題を解決するための手段】
【０００７】
本発明の一実施形態によれば、ハウジングと、上記ハウジングに設けられたマグネットと、レンズを支持し、上記ハウジングに対して昇降可能に設けられたレンズホルダと、上記レンズホルダに結合され、上記ハウジングにより支持されて上記レンズホルダを弾性的に支持するスプリングと、上記マグネットに対向するように上記レンズホルダに結合され、リード線が上記レンズホルダと上記スプリングとの間に介在されたコイルと、を含むレンズアクチュエータが提供される。
【０００８】
上記スプリングは、上記コイルのリード線を加圧する弾性変形状態で上記レンズホルダに結合されることができる。
【０００９】
上記スプリングには貫通する組立孔が形成され、上記レンズホルダには上記組立孔に挿入されて結合される組立突起が形成されることができる。
【００１０】
上記組立突起は、上記スプリングの組立孔に挿入される胴部及び上記スプリングの離脱を防止するように組立孔よりも大きい長半径を有するヘッド部を含むことができる。
【００１１】
上記組立孔及び組立突起は複数であり、上記コイルのリード線は複数の組立突起間に配置されることができる。
【００１２】
上記スプリングに結合され、上記コイルを駆動する電気を供給するコネクタをさらに含むことができる。
【００１３】
また、本発明の他の実施形態によれば、ハウジングと、上記ハウジングの内側に配置されたイメージセンサと、上記イメージセンサへ光を集めるレンズと、レンズを支持し、上記ハウジングに対して昇降可能に設けられたレンズホルダと、上記レンズホルダに結合され、上記ハウジングに支持されて上記レンズホルダを弾性的に支持するスプリングと、上記ハウジングに設けられたマグネットと、上記マグネットに対向するように上記レンズホルダに結合され、リード線が上記レンズホルダと上記スプリングとの間に介在されたコイルと、を含むカメラモジュールが提供される。
【００１４】
上記スプリングは、上記コイルのリード線を加圧する弾性変形状態で上記レンズホルダに結合されることができる。
【００１５】
上記スプリングには貫通する組立孔が形成され、上記レンズホルダには上記組立孔に挿入されて結合される組立突起が形成されることができる。
【００１６】
上記組立突起は、上記スプリングの組立孔に挿入される胴部及び上記スプリングの離脱を防止するように組立孔よりも大きい長半径を有するヘッド部を含むことができる。
【００１７】
上記組立孔及び組立突起は複数であり、上記コイルのリード線は複数の組立突起間に配置されることができる。
【００１８】
上記スプリングに結合され、上記コイルを駆動する電気を供給するコネクタをさらに含むことができる。
【発明の効果】
【００１９】
本発明によれば、コイルとスプリングの電気接続構造を衝撃及び湿度に強い構造で形成することにより、電気接続の信頼性を向上させることができる。
【００２０】
また、本発明はスプリングとコイルとの接続構造を簡単にすることにより、レンズアクチュエータの製造を容易にすることができる。
【図面の簡単な説明】
【００２１】
【図１】本発明の一実施例によるカメラモジュールを示す分解斜視図である。
【図２】本発明の一実施例によるカメラモジュールにおけるスプリングとコイルとの結合構造を説明するための図面である。
【図３】図２のＡ部分を拡大した断面図である。
【発明を実施するための形態】
【００２２】
以下、本発明の実施例を添付図面を参照して詳細に説明する。
【００２３】
図１は、本発明の一実施例によるカメラモジュールを示す分解斜視図である。
【００２４】
本発明の一実施例によるカメラモジュールは、イメージセンサ１０、レンズ５及びレンズアクチュエータを含む。そして、本実施例のレンズアクチュエータはハウジング２０、マグネット６０、レンズホルダ３０、スプリング４０及びコイル５０を含む。
【００２５】
イメージセンサ１０はレンズ５を介して入射された光が結像する撮像素子であって、光の移動経路であるレンズ５の光軸上に配置される。
【００２６】
図１に示すように、本実施例では基板１２に実装されたイメージセンサ１０がハウジング２０の内部に配置される。しかし、イメージセンサ１０の配置構造はこれに限定されず、ハウジング２０の内部に直接装着されるか、基板１２の貫通孔の裏面に配置されるなど様々な形態で配置されることが可能である。
【００２７】
ハウジング２０は、部品が装着される空間を形成する部分であって、本実施例のハウジング２０の内部にはイメージセンサ１０が配置され、後述するマグネット６０ 及びスプリング４０などが設けられる。また、本実施例では、ハウジング２０に装着された部品をカバーするケース７０がハウジング２０に結合されてもよい。
【００２８】
レンズホルダ３０は、レンズ５がイメージセンサ１０へ光を集めることができるように、所定の位置に配置されるレンズ５を支持するものであって、レンズ５とイメージセンサ１０との間の距離を調節できるようにハウジング２０に対して昇降可能に設けられる。これにより、カメラモジュールはレンズホルダ３０の昇降を調節することにより、オートフォーカス機能を実現することができる。
【００２９】
図１に示すように、本実施例のレンズホルダ３０の内部にはレンズ５を収容するレンズバレル６が結合される。そして、レンズホルダ３０はハウジング２０に対して上下移動が可能に、後述するスプリング４０により弾性的に支持される。
【００３０】
マグネット６０及びコイル５０はレンズホルダ３０を移動させる電磁気力を発生するものである。
【００３１】
レンズホルダ３０がハウジング２０に対して昇降可能となるように、磁石であるマグネット６０はハウジング２０に設けられ、コイル５０はマグネット６０に対向するようにレンズホルダ３０に結合される。これにより、コイル５０に電流が供給されると、コイル５０とマグネット６０との間に形成される電子気力によりコイル５０が移動されて、コイル５０と結合されているレンズホルダ３０を移動させる。
【００３２】
図１に示すように、本実施例でのコイル５０はレンズホルダ３０の外周面に巻かれて結合され、マグネット６０はコイル５０が巻かれたレンズホルダ３０の周りを取り囲む形態で配置される。
【００３３】
スプリング４０はレンズホルダ３０を弾性的に支持してレンズホルダ３０を初期に設定された位置に位置させるものであって、レンズホルダ３０に結合され、ハウジング２０に弾性的に支持される。
【００３４】
図１に示すように、本実施例のレンズホルダ３０にはスプリング４０が上下で結合されて、レンズホルダ３０を昇降可能に支持する。
【００３５】
また、本実施例でのスプリング４０は、コイル５０に電気が供給される経路を形成する役目をする。このため、スプリング４０は電流を通す導電性材料からなり、コイル５０に電流を供給するようにコイル５０から引き出されたリード線５２と電気的に接続される。
【００３６】
特に、本実施例でのコイル５０のリード線５２はスプリング４０とレンズホルダ３０との間に介在されて、スプリング４０に接続される。つまり、別の半田付けまたは接着を行わなくても、リード線５２はスプリング４０の加圧力によりスプリング４０と電気的に接続することになる。これにより、スプリング４０とコイル５０との接続構造を簡単にしてレンズアクチュエータの製造を容易にすることができる。また、スプリング４０とレンズホルダ３０との間のリード線５２が加圧されて固定される構造は、外部環境の湿度により接続の信頼性がほとんど影響を受けず、落下などの衝撃にも強い特性を有する。
【００３７】
図２及び図３は、本発明の一実施例によるカメラモジュールにおけるスプリング４０とコイル５０との結合構造を説明するための図面である。図３は図２のＡ部分の断面を示す図面である。
【００３８】
図３に示すように、本実施例では板状のスプリング４０がコイル５０のリード線５２を加圧するように弾性変形された状態でレンズホルダ３０に結合されている。
【００３９】
具体的に、スプリング４０には貫通する組立孔４２が形成され、レンズホルダ３０には組立孔４２に挿入されて結合される組立突起３２が形成されている。
【００４０】
ここで、組立突起３２は、スプリング４０の組立孔４２に挿入される胴部３２ａとスプリング４０の離脱を防止するように組立孔４２よりも大きい長半径を有するヘッド部３２ｂとを含み、レンズホルダ３０とスプリング４０との間に介在されたコイル５０のリード線５２をスプリング４０が加圧するようにスプリング４０を支持することができる。
【００４１】
また、リード線５２は組立突起３２間に配置されるため、リード線５２に均一なスプリング４０の加圧力が加えられることができる。
【００４２】
一方、 本実施例でのスプリング４０には外部からコイル５０を駆動する電気を供給するためのコネクタ４６が接続されてもよい。図１及び図２に示されたように、 本実施例でのスプリング４０には一対のコネクタ孔４４が形成され、一対のコネクタ孔４４にはコネクタ４６の一対の電極が挿入されて接続されることができる。
【００４３】
上記では本発明の実施例を参照して説明したが、当該技術分野で通常の知識を有する者であれば下記の特許請求の範囲に記載された本発明の思想及び領域から逸脱しない範囲内で本発明を多様に修正及び変更させることができることを理解できよう。
【００４４】
上述した実施例以外の多くの実施例が本発明の特許請求範囲内に存在する。
【符号の説明】
【００４５】
５   レンズ
６   レンズバレル
１０ イメージセンサ
２０ ハウジング
３０ レンズホルダ
３２ 組立突起
４０ スプリング
４２ 組立孔
４６ コネクタ
５０ コイル
５２ リード線
６０ マグネット
【図１】
0005323899.tif 000002
【図２】
0005323899.tif 000003
【図３】
0005323899.tif 000004